(57)【要約】【課題】ペットボトルなどの口部が細い筒状の容器を給水装置を安定して配置できると共に、水の補給を容易にする栽培装置および植物栽培装置を提供する。【解決手段】水Ｗを蓄えることのできる有底筒状のボトル２１と、そのボトルの上端に設けられると共に貯水部１３に貯水される水面を所定の高さに維持して自動的に給水できる給水弁２２とを備えた給水装置２０を、上下に逆にして取り付けて用いる栽培容器１０であって、複数の給水装置をそれぞれ着脱自在に受け入れて支持する支持部１１と、それらの支持部に連通し、前記給水装置から供給される水を導く水路１２ａが形成された連結部１２と、その水路を介して水が貯水される貯水部１３とを備えており、前記支持部、連結部および貯水部が一体に成形されている栽培容器。【選択図】図１
2013099304.tif 000002
【特許請求の範囲】
【請求項１】
水を蓄えることのできる有底筒状の給水装置を上下逆にして取り付けて用いる栽培容器であって、
複数の給水装置をそれぞれ着脱自在に受け入れて支持する複数の支持部と、
それらの支持部に連通し、前記給水装置から給水される水を導く水路が形成された連結部と、
その連結部の水路を介して、前記給水装置から給水される水を貯水する貯水部とを備えており、
前記貯水部の側方に、前記支持部および連結部が一体に設けられている栽培容器。
【請求項２】
前記支持部が、水の貯水された貯水部の重心を中心とするほぼ同心円上にほぼ等間隔に配置されている請求項１記載の栽培容器。
【請求項３】
前記給水装置が、それの給水口の支持部の内底面からの高さ位置に基づいて、前記貯水部に貯水される水の水面の高さ位置を調整できるものであり、
各支持部の内底面が、その高さ位置を異にするように設けられている請求項１または２記載の栽培容器。
【請求項４】
請求項１〜３のいずれかに記載の栽培容器と、その栽培容器の支持部に支持された複数の給水装置と、前記栽培容器の貯水部に貯水された水を吸収すると共に、植物の根が配置される水吸収体とを備えた植物栽培装置。
【発明の詳細な説明】
【技術分野】
【０００１】
本発明は植木鉢、プランターなどの底部に水を給水する給水装置と共に用いる栽培容器およびその栽培容器を用いた植物栽培装置に関する。
【背景技術】
【０００２】
【特許文献１】特開２０００−８３４９８号公報
【０００３】
特許文献１には自動灌水植物栽培容器が記載されている。このものは略皿状の補水槽を備えている。その補水槽の内底面からは筒状の保持部が上方に延びており、その保持部に水を蓄えた補給容器（給水装置）の口部が装着されている。前記保持部の周壁の下端付近には開口部が形成されており、その開口部を介して給水装置内の水は補水槽に貯水されている。また前記補水槽の内部には植物栽培のための用土が充填された植物栽培容器が配置されている。その植物栽培容器の底部は補水槽の底面から間隔を空けて配置されており、その底部から筒状の灌水口が補水槽の底に向かって延びている。その灌水口には前記用土が充填されており、その用土が毛細管現象により補水槽の水を吸い上げている。
【発明の開示】
【発明が解決しようとする課題】
【０００４】
特許文献１の装置では、水を補給する装置を上下逆さま、すなわち口を下にして用いる。このため畜える水を多くすると、補給装置が高さ方向あるいは半径方向に大きく嵩張る。このため満水の補給装置を含む装置全体の重心の位置が高くなり装置の載置状態が安定しにくい。
【０００５】
本発明は空のペットボトルなどの口部が細い筒状の容器を備えた給水装置を安定して配置できると共に、水の補給を容易にする栽培装置および植物栽培装置を提供することを技術課題としている。
【課題を解決するための手段】
【０００６】
本発明の栽培容器（請求項１）は、水を蓄えることのできる有底筒状の給水装置を上下逆にして取り付けて用いる栽培容器であって、複数の給水装置をそれぞれ着脱自在に受け入れて支持する複数の支持部と、それらの支持部に連通し、前記給水装置から給水される水を導く水路が形成された連結部と、その連結部の水路を介して、前記給水装置から給水される水を貯水する貯水部とを備えており、前記貯水部の側方に、前記支持部および連結部が一体に設けられていることを特徴とする。
【０００７】
このような栽培容器においては、前記支持部が、水の貯水された貯水部の重心を中心とするほぼ同心円上にほぼ等間隔に配置されているものが好ましい（請求項２）。
さらに前記給水装置が、それの給水口の支持部の内底面からの高さ位置に基づいて、前記貯水部に貯水される水の水面の高さ位置を調整できるものであり、各支持部の内底面が、その高さ位置を異にするように設けられているものが好ましい（請求項３）。
【０００８】
本発明の植物栽培装置（請求項４）は、上述の栽培容器と、その栽培容器の支持部に支持された複数の給水装置と、前記栽培容器の貯水部に貯水された水を吸水すると共に、植物の根が配置される水吸収体とを備えていることを特徴としている。
【発明の効果】
【０００９】
本発明の栽培装置（請求項１）では、複数の支持部が連結部および貯水部を介して一体
に設けられている。そして栽培容器の支持部に、水を入れた給水装置を支持させると、貯水部に水が貯水され、その水の重量により貯水部の重量が増す。このため供給装置が支持された複数の支持部と貯水された貯水部とで囲まれる広い領域に荷重が分散されるので、栽培容器全体を床面に安定して載置できる。例えば支持部が２つであると、貯水部と併せて３点で安定して載置できる。また支持部が３つであると、それら３つの支持部のみで、自立することができる。
このように栽培装置の載置が安定するので、給水装置の全高を高くしてボトルに蓄えておく水の量を多くすることができる。このため給水装置の交換の頻度を少なくすることができる。その上で、給水装置を細く高くできるので、横方向に嵩張らない。このため給水装置が植物の葉や茎などが自由に伸びるのに妨げになったり、植物の日照を妨げたりするのを防止できる。
【００１０】
このような栽培容器において、前記支持部が、水の貯水された貯水部の重心を中心とするほぼ同心円上にほぼ等間隔に配置されている場合（請求項２）は、貯水部の形状が不規則な形状、例えば細長い形状であっても、栽培装置の載置を安定させることができる。
【００１１】
さらに前記給水装置が、それの給水口から支持部の内底面からの高さに基づいて、前記貯水部に貯水される水の水面の高さ位置を調整できるものであり、各支持部の内底面が、その高さ位置を異にするように設けられている場合（請求項３）は、内底面の高い支持部に支持された給水装置から順に空になるので、一度に全ての給水装置を満水にする作業の手間が省ける。
【００１２】
本発明の植物栽培装置（請求項４）は、前述の給水装置を備えているので、栽培容器の植物が水を吸収して、あるいは水が蒸発して水位が下がると、自動的に給水装置から水が供給され、元の水位まで戻る。さらに給水装置への水の充填および植木鉢などへの設置が容易である。
【図面の簡単な説明】
【００１３】
【図１】図１ａは本発明の栽培容器の平面図、図１ｂは図１ａのＩ−Ｉ線断面図である。
【図２】図２は本発明の植物栽培装置の概略断面図である。
【図３】図３は本発明の栽培容器の他の実施形態を示す概略平面図である。
【図４】図４は蓋片を示す斜面図である。
【図５】図５ａは本発明の栽培容器の他の実施形態を示す概略平面図、図５ｂはさらに他の実施形態を示す概略平面図である。
【図６】図６ａは本発明の栽培容器の他の実施形態を示す概略平面図、図６ｂはさらに他の実施形態を示す概略平面図である。
【図７】図７ａは給水弁を示す部分断面図、図７ｂは図７ａの下面図である。
【図８】図８は本発明の植物栽培装置を用いた給水方法を示す概略図である。
【図９】図９は本発明の植物栽培装置を使用する方法を示す概略図である。
【発明を実施するための形態】
【００１４】
まず図２を用いて本発明の概略を説明する。図２の植物栽培装置１は、植物Ｐが栽培される栽培容器１０と、その栽培容器に水Ｗを供給する複数の給水装置２０、２７とを備えている。前記水Ｗには、植物の栄養分を含ませてもよい。なお給水装置２０と給水装置２７は同じ構成なので、同じ部分には同じ符号を付してその説明を省略する。
【００１５】
前記栽培容器１０は、給水装置２０の口部が取り付けられる支持部１１と、その支持部１１と連結されると共に、給水装置２０のボトル２１から水Ｗを導く水路１２ａが内部に設けられた連結部１２と、前記水路１２ａを介して水Ｗが供給される貯水部１３とを備え
ている。
前記栽培容器１０は、ポリプロピレン（ＰＰ）、ポリエチレン（ＰＥ）、ポリエチレンテレフタレート（ＰＥＴ）、アクリルニトリル・ブタジエン・スチレン樹脂（ＡＢＳ）、ポリメチルメタアクリル（ＰＭＭＡ）などの合成樹脂材料で一体に成形されるのが好ましい。またステンレスやアルミなどの金属材料を加工して一体に成形してもよい。
なお支持部１１、連結部１２および貯水部１３を溶接や溶着することにより一体に設けてもよい。さらに間にパッキンンなどを挟んでネジ、ボルトなどの締結具で一体に設けてもよい。
【００１６】
図１ａに示すように前記支持部１１は貯水部１３の側方に２つ設けられている。それら支持部１１、１１は略円形の貯水部１３の中心からほぼ等距離に配置されている。本実施形態の場合は、貯水部１３が円形であるので、その底面の中心付近が重心Ｏとなる。このように前記支持部１１、１１を前記重心Ｏから等距離に配置しているので、貯水部１３に貯水された水Ｗと、２つの支持部１１、１１にそれぞれ支持された２本の給水装置２０、２７（図２参照）とにより、全体の荷重が３点に分散され、装置全体の水Ｗに基づく荷重が偏らない。このため栽培容器１の載置が安定しやすい。なお図３に示すように前記重心Ｏと支持部１１、１１の中心とを結ぶ線により正三角形（二点鎖線参照）を形成するように、支持部１１、１１を配置してもよい。
【００１７】
図１ｂに示すように、前記支持部１１は、内底面１１ａ（底面）と、その底面１１ａの周縁から立ち上がる周壁１１ｂとを備え、上方に向けて開口した略筒状である。その支持部１１には、給水装置２０の口部２１ａ（図２参照）が挿入される。前記支持部１１の内側面には開口１１ｃが形成されており、前記水路１２ａに連通している。ここで前記給水装置２０の水Ｗが流出する部位が給水口である。
【００１８】
図１ａに示すように、前記連結部１２は２つの支持部１１、１１から貯水部１３へ向かって、それぞれ延び、その途中で一体となり、前記貯水部１３に連結されている。なお本実施形態では、連結部１２、１２は途中で一体となっているが、前記水路１２ａ、１２ａ（図１ｂ参照）はそれぞれが貯水部１３に別個に連通しており、途中で合流していない。なお水路１２ａ、１２ａを途中で合流させてもよい。
また図１ｂに示すように、前記水路１２ａの側壁には、オーバーフローのための排水孔１２ｂが形成されている。その排水孔１２ｂは貯水部１３の底面から所定高さＨ２≧Ｈ１の水面の高さ位置にある（図２参照）。なお排水孔１２ｂを貯水部１３、支持部１１に設けてもよい。
【００１９】
図４に示すように、前記連結部１２の水路１２ａ（図１ｂ参照）は上方に開口している。その開口１２ｃは蓋体１４により閉じることができる。その蓋体１４は短冊状の蓋片１４ａと、その蓋片１４ａの先端から蓋片１４ａと直交するように延びる仕切り片１４ｂとを備えている。前記蓋片１４ａは水路１２ａの上方の開口１２ｃを塞ぐ。一方、仕切り片１４ｂは水路１２ａと貯水部１３との間に配置される。その仕切り片１４ｂの下端の中間付近は中抜きされ、その両脇が脇部１４ｃ、１４ｃである。またその内側の開口は孔１４ｄである。
【００２０】
前記貯水部１３は、皿状の部材で、その側方に形成された開口１３ａにより水路１２ａと連通している。前記貯水部１３の内部には後述する水吸収体１５（図２参照）が設けられる。
【００２１】
前記開口１３ａの縁には断面コ字状のレール部１３ｂが設けられている。そのレール部１３ｂには前記蓋体１４の仕切り片１４ｂが差し込まれる。その仕切り片１４ｂは、下端の脇部１４ｃ、１４ｃの下端面を貯水部１３の底面に接触するまで差し込む。この差し込
まれた状態で、仕切り片１４ｂの下端の孔１４ｄを介して貯水部１３と水路１２ａとは連通する。このため仕切り片１４ｂは貯水部１３と水路１２ａとの連通状態を保ちながら、貯水部１３ａ内に設けられる土壌などの水吸収体１５が水路１２ａ内に入り込むのを防止できる。
【００２２】
前記貯水部１３の形状は、図５ａの平面図に示すように細長いものや、図５ｂのような不規則な形状のものでもよい。これらの実施形態では支持部１１は２本配置され、それら支持部１１、１１の中心はそれぞれの貯水部１３の重心Ｏから等距離（二点鎖線参照）に配置されている。このため、栽培容器１０の載置状態が安定する。なお重心Ｏと支持部１１、１１の中心とで正三角形を形成すると、一層載置状態が安定する。
【００２３】
また貯水部１３（図１参照）の内部に水吸収体を設ける場合は、図２に示すように貯水部１３の上面に、網状部材１６を配置し、その上に前記水吸収体１５を配置するのが好ましい。
前記水吸収体１５としては、用土のほか、発泡ウレタンなどの発泡樹脂、あるいは発泡ゴムなど、通気性および透水性を有する柔軟な材料で形成するのが好ましい。なお、ヤシ殻やシュロなどの天然繊維、ポリエステル繊維などの化学繊維など、通気性および透水性が高く、植物を保持できるものであれば、他の材料も採用することができる。
また網状部材１６はステンレス製あるいは合成樹脂製など、耐水性の高いものが好ましい。ステンレスあるいは合成樹脂製のパンチングプレートであってもよいし、合成樹脂製のネットあるいは籠などを用いてもよい。
【００２４】
また前記支持部１１を３つあるいは４つ設ける場合には、それら支持部１１は貯水部１３の重心Ｏを中心とした同心円（二点鎖線参照）上に等間隔で設けるのがよい。例えば、図６ａでは４つの支持部を十字状に設けている。さらに支持部１１を５つ以上設ける場合も同様に同心円状に等間隔に設けるのがよい。
さらに図６ｂに示すように、複数の供給装置２０・・をまとめて一ヶ所に配置することにより、一体に成形されている３つの支持部１１、１１、１１で支持された複数の供給装置２０・・を自立させるようにしてもよい。
【００２５】
本発明によれば、複数の支持部１１が連結部１２および貯水部１３を介して一体に設けられている。そして栽培容器１０の支持部１１に、水Ｗを入れた給水装置２０を支持させると、貯水部１３に水Ｗが貯水され、その水Ｗの重量により貯水部１３の重量が増す。このため供給装置２０が支持された複数の支持部１１と貯水された貯水部１３とで囲まれる広い領域に荷重が分散されるので、栽培容器１０全体を床面に安定して載置できる。例えば支持部１１が２つであると、貯水部１３と併せて３点で安定して載置できる。また支持部１１が３つ以上であると、それら３つの支持部１１の３点のみで、自立することができる。
このように植物栽培装置１の載置が安定するので、給水装置２０の全高を高くしてボトルに蓄えておく水の量を多くすることができる。このため給水装置２０の交換の頻度を少なくすることができる。その上で、給水装置２０を細く高くできるので、横方向に嵩張ることによる植物Ｐの葉や茎などが自由に伸びるのに妨げになったり、植物Ｐの日照を妨げたりするのを防止できる。
【００２６】
図２に戻って、前記給水装置２０は、底部を上方にして配置される有底筒状のボトル２１と、そのボトル２１の筒状の口部２１ａに設けられた給水弁２２とを備えている。前記ボトル２１としては、市販飲料の容器として使用されるペットボトルが資源再利用の意味で好ましい。ただし合成樹脂、ガラス、金属などから形成された専用の容器でもよい。いずれの場合でも、全体あるいは部分的に透明な容器が好ましく、それにより内容量が視認できる。前記ボトル２１の口部２１ａの外周にはオネジ２１ｂが形成されており、そのオ
ネジ２１ｂに給水弁２２が螺合し、固定される。
なお給水弁２２を設けないで、直接ボトル２１の口を支持部１１に固定してもよい。また給水弁２２を支持部１１に固定し、ボトル２１を脱着自在にしてもよい。
【００２７】
図７ａに示すように、前記給水弁２２は、筒状部２３およびその筒状部２３の内部を塞ぎ、下面が傾斜した円筒状のブロック部２４を備えた本体と、筒状部２３の上端開口を塞ぐ弁体２５と、その弁体２５を作動させる弁棒２５ａとを備えている。
【００２８】
前記筒状部２３は、例えばボトル２１（図２参照）がペットボトルの容器であるなら、その容器の規格された口部の内径に合わせるのがよい。その筒状部２３の周囲には隙間２３ａを空けて筒状の周壁２３ｂが設けられている。その筒状の周壁２３ｂの内面にはメネジが形成されており、前記ペットボトルの口部２１ａのオネジ２１ｂ（図２参照）と螺合する。さらに隙間２３ａの底にはパッキン２３ｃが設けられており、水漏れしにくい。また、筒状の周壁２３ｂは下方に延長されて脚部２３ｄとされている。その脚部２３ｄは等間隔に４本配置されており（図７ｂ参照）、それら脚部２３ｄの間から水Ｗ（図２参照）が排出される。
【００２９】
前記ブロック部２４の中心部には、弁棒２５ａを摺動自在にガイドするガイド孔２４ａが形成されている。そのガイド孔２４ａの周囲には上面から下面まで貫通する複数の貫通路２４ｂ〜ｄ（図７ｂ参照）が形成され、全体としてレンコン状に形成されている。ブロック部２４の軸方向の長さは、長い方の側で２８〜３５ｍｍであり、短い方の側で１３〜２０ｍｍである。また、前記下面の水平方向に対する傾斜角度は２０〜７０度程度である。
【００３０】
前記ブロック部２４には、少なくとも２本の貫通路が設けられている。その２本の貫通路というのは、ブロック部２４の傾斜した面の下手側（最も下手側のもの）から上面まで貫通した長い貫通路（水排出路）２４ｃと、上手側（最も上手側のもの）の短い貫通路（空気導入路）２４ｂのことである。
この実施形態ではブロック部２４の下面中央から細い筒２４ｅが突出しており、その筒２４ｅの内部まで前記ガイド孔２４ａが延長されている。また、その突出した筒２４ｅの先端部には段部２４ｆが形成されている。その他の貫通路２４ｄ・・はブロック部２４の下面の水排出路２４ｃと空気導入孔２４ｂとの間の位置にバランスよく配置されている。それらの貫通路２４ｄからは水が排出される場合もあるし、空気が導入される場合もある。なお、前記水排出路２４ｃの径は３〜６ｍｍである。そして、空気導入孔２４ｂの径は３〜６ｍｍである。また、その他の貫通路２４ｄについては、前記水排出路２４ｃおよび空気導入孔２４ｂと同じにしてもよい。また、前記貫通路の全本数（排出路および導入路を含む）は２〜８本形成される。さらに、ボトル２１に封入される液体の粘度や、供給の速度に応じて、これら貫通路の本数や１本当りの貫通路の断面積を変化させてもよい。
【００３１】
前記弁体２５は、筒状部１３の上端開口を開閉する円形の板状部材である。その蓋部材２５の中心から下向きに弁棒２５ａが延びている。その弁棒２５ａはブロック部２４のガイド孔２４ａを貫通し、傾斜した下面側をさらに超え、筒状部２３の下端からさらに下方にその先端を延ばしている。その先端の外周には鍔部２５ｂが取付けられている。なお、前記貫通路２４ｂ〜２４ｄを複数の壁面を有する格子状、多角形などの形状にすることもできるが、ペットボトルの口部のような小さな径の中にそれらを形成するのは困難であるし、そのような角のある流路は流れを乱しやすい。
【００３２】
前記弁体２５は、コイルスプリング２６のような弾性を備えた部材により下向きに付勢されている。コイルスプリング２６の場合、弁棒２５ａの周囲に装着させた上で、上端をブロック部２４の斜面から突出する筒２４ｅの先端の段部２４ｆに、下端を前記鍔部２５
ｂにそれぞれ係止させている。そのため、常時は弁体２５が筒上部２３の上端開口を閉じており、弁棒２５ａがコイルスプリング２６の付勢力に抗して押上げられたとき、弁体２５が上端開口を開く。このように給水弁２２は給水装置２０を上下逆さまに反転させても水は出ない。
図７ａでは、コイルスプリング２６が伸びた状態における弁棒２５ａの下端部を二点鎖線で記載している。なお、付勢手段として、コイルスプリングのほか、同じような作用を奏するものならば、他のものも使用できる。例えば、ダンパ、弾性部材などを用いて前記付勢力を得るようにしてもよい。なお、前記弁体２５がゴムなどの材質で形成され、筒状部２３の上端にパッキンが配置されると、一層シール性が増す。
【００３３】
次に図８を用いて植物栽培装置１が使用される様子を説明する。まず、空のボトル２１に水Ｗを充填する。（工程Ｓ１）。
次いで、そのボトル２１に給水弁２２を装着して給水装置２０とし、上下逆さまにし、支持部１１に挿入する（工程Ｓ２）。その際、給水弁の弁棒２５の下端を支持部１１の底面１１ａに押し当て、その自重でコイルスプリング２６の付勢力に逆って弁棒２５ａを上昇させ、弁体２５と筒状部２３の上端との接触を解除する。
そうすると、内部の水Ｗはブロックの水排出路２４ｃから流出し、それと置換されるように空気が空気導入孔２４ｂから導入される（工程Ｓ３）。このとき、弁体２５はボトル２１の口部２１ａより上側に抜けて、肩部内に達し、周囲に十分大きい隙間ができるようにしている。
そして、流出した水Ｗが支持部の底面１１ａと周壁１１ｂとで囲まれる範囲に溜まり、その水位が水排出路２４ｃ（図７ａ参照）の下端のところまで来る（高さＨ１）。
そうすると、筒状部２３の下端の全周が水面に接し、あるいは若干水没するため、置換される空気が導入できなくなる。そのため、水Ｗの流出が止まる（工程Ｓ４）。また、排水孔１２ｂの方が水排出路２４ｃより高い位置にあるので（Ｈ２≧Ｈ１）、排水孔１２ｂから水が排出されることはない。
【００３４】
流出した水Ｗは水路１２ａから貯留部１３に貯留され、その水位は前記Ｈ１（工程Ｓ４参照）と同じ高さである。そして、水Ｗは水吸収体などによりいくらか上方に吸い上げられ、植物に吸収されたり、蒸発したりすることにより次第に水位が低くなる（工程Ｓ５）。そうすると、前記水排出路２４ｃの下端と水面とが接しなくなり、かつ筒状部２３の下端と水面との間にも隙間Ａができる。
その隙間により空気の導入を許し、導入された空気によりボトル内の水が置換され、水排出路２４ｃから水Ｗが流出する（工程Ｓ６）。
そして、再び、水位が水排出路２４ｃのところまで来て（高さＨ１）、筒状部１３の下端の全周が水面に接し、あるいは若干水没して、置換される空気が導入できなくなると、水の流出が止まる（工程Ｓ４）。水が止まった状態はブロック部２４の斜面も下方に空気が溜まっている。
【００３５】
また何らかの原因、例えば栽培容器１０を外に出していた場合に雨などにより、貯水部１３に大量の雨水が流れ込んだ場合や給水装置２０の取り付けの不具合により内部の水Ｗが過剰に流出した場合などに、前記排水孔１２ｂ（図１ｂ参照）があると、そこから余分な水をオーバーフローさせることができる。
【００３６】
さらに筒状部２３（工程Ｓ４参照）の下端の全周囲が水面に接する、あるいは若干水中に入り込むと、水Ｗの流出が止まる。そのため、自動的に水Ｗを供給させるために必要な水面高さを低くすることができる。必要な水面高さを低くすることができると、給水装置２０から流出する水の量を少なくすることができ、水の滞留時間を小さくすることができるので、衛生的である。また、滞留している間の蒸発も防ぐことができるので、さらに節水効果が高いし、使用時間も長くすることができる。
【００３７】
図１ｂに戻って前記支持部１１の底面１１ａの高さ位置が全て同じ高さ位置の場合では複数のボトル２１の水Ｗは同時に減っていく。そこで支持部１１の底面１１ａの高さ位置を他の支持部の底面１１ａと異にすることで、底面１１ａの高い支持部１１に支持された給水装置２０（図２参照）から順に水Ｗが供給されるようにすることができる。これにより、一度に全ての給水装置２０を満水にする作業の手間が省ける。前記底面１１ａの高さを異にするのに、底面１１ａの上面にワッシャやスペーサを載置したり、パッキンを敷いたりしてもよい。
【００３８】
次に図９を用いて、底面１１ａを異にした場合の給水装置２０、２７を交換する様子を説明する。図９では支持部１１の底面１１ａのうち、低い側に給水装置２７が配置され、高い側に給水装置２０が配置されている。前記給水装置２０、２７に十分に水が蓄えられている状態では底面１１ａの高い側に設置された給水装置２０から優先的に水Ｗが給水される。このため水面の高さは給水装置２０の給水口（符号Ａ参照）の高さである（工程Ｔ１）。
次いで、前記給水装置２０が空になると、今度は給水装置２７から水Ｗが給水される。このときの水面は給水装置２０の給水口（符号Ｂ参照）の高さである。このまま放置すると、給水装置２７も空になるが、その空になる時間まで給水をしなくてもよいので、一度に２つの給水装置２０、２７を給水する必要がない。特に給水装置が多ければ多いほど、一度に給水する手間が省ける。
【００３９】
その後、給水装置２７を取り外し、満水にしてから再度高い側の底面１１ａに給水装置２７を設置することもできるが、そうすると再度給水装置２７側の水が給水され、給水装置２０の水Ｗが残ったままになる。そこで、給水装置２０を取り外し、給水装置２７を給水装置２０が配置されていた底面１１ａ側（高い側）に配置を変更する（工程Ｔ４）。これにより水面の高さが、給水口Ｂまで上昇する。その後、満水にした給水装置２０を低い側の底面１１ａに配置する（工程Ｔ５）。これにより給水装置２０と給水装置２７を交互に交換しながら、水Ｗを給水することができる。
【符号の説明】
【００４０】
１  植物栽培装置
１０  栽培容器
１１  支持部
１１ａ  底面
１１ｂ  周壁
１１ｃ  開口
１２  連結部
１２ａ  水路
１２ｂ  排水孔
１２ｃ  開口
１３  貯水部
１３ａ  開口
１３ｂ  レール部
１４  蓋体
１４ａ  蓋片
１４ｂ  仕切り片
１４ｃ  脇部
１４ｄ  孔
１５  給水体
１６  網状部材
２０  給水装置
２１  ボトル
２１ａ  口部
２１ｂ  オネジ
２２  給水弁
２３  筒状部
２３ａ  隙間
２３ｂ  周壁
２３ｃ  パッキン
２３ｄ  脚部
２４  ブロック部
２４ａ  ガイド孔
２４ｂ  大気導入路
２４ｃ  水排出路
２４ｄ  貫通孔
２４ｅ  筒
２４ｆ  段部
２５  弁体
２５ａ  弁棒
２５ｂ  鍔部
２６  コイルスプリング
２７  給水装置
Ａ  給水口
Ｂ  給水口
Ｏ  重心
Ｐ  植物
Ｗ  水
Ｈ１、Ｈ２  高さ
【図１】
2013099304.tif 000003
【図２】
2013099304.tif 000004
【図３】
2013099304.tif 000005
【図４】
2013099304.tif 000006
【図５】
2013099304.tif 000007
【図６】
2013099304.tif 000008
【図７】
2013099304.tif 000009
【図８】
2013099304.tif 000010
【図９】
2013099304.tif 000011